【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
移動体端末の表示装置のコンテンツを保存する方法であって、
前記移動体端末に関連する表示装置のコンテンツの格納要求を受信する工程と、
前記受信された要求に応じて前記移動体端末の前記コンテンツを含む画像ファイルを作成する工程と、
前記コンテンツの種類と前記コンテンツのソースとの少なくともいずれかにかかわりなく、前記作成された画像ファイルを画面コンテンツフォルダに格納する工程と、
を備えることを特徴とする方法。
【請求項２】
前記作成された画像ファイルに関連するテキストファイルであって、前記画像ファイルに含まれる何らかのテキストを含む前記テキストファイルを自動的に作成する工程と、
前記作成されたテキストファイルを前記画面コンテンツフォルダに格納する工程と、
をさらに備えることを特徴とする請求項１に記載の方法。
【請求項３】
電子メールメッセージと、マルチメディア・メッセージング・サービス（ＭＭＳ）メッセージと、ショートメッセージサービス（ＳＭＳ）メッセージとに前記テキストファイルを添付する工程と、前記テキストファイルをテキストノートプログラムへ転送する工程との少なくともいずれかの工程をさらに備えることを特徴とする請求項２に記載の方法。
【請求項４】
電子メールメッセージとマルチメディア・メッセージング・サービス（ＭＭＳ）メッセージとの少なくともいずれかに前記画像ファイルを添付する工程をさらに備えることを特徴とする請求項１に記載の方法。
【請求項５】
前記画像ファイルと前記テキストファイルとの少なくともいずれかのファイルを処理して、該ファイルから情報を抽出する工程と、
前記抽出された情報をアプリケーションプログラムへ提供して、該アプリケーションプログラムにおいて前記情報を使用する工程と、
をさらに備えることを特徴とする請求項２に記載の方法。
【請求項６】
前記アプリケーションプログラムは、連絡先データベースと、カレンダと、ブラウザと、チャットクライアントと、ブックマーク格納ユットとの少なくともいずれかを備えることを特徴とする請求項５に記載の方法。
【請求項７】
前記画像ファイルと前記テキストファイルとの少なくともいずれかを編集する工程をさらに備えることを特徴とする請求項２に記載の方法。
【請求項８】
前記受信する工程が、
前記移動体端末に設けられた画面コンテンツ専用ボタンを介して提供されるユーザ入力を受信する工程と、
前記移動体端末に設けられたオーバロード・ボタンを介して提供されるユーザ入力を受信する工程と、
前記移動体端末に設けられたメニューを介して提供されるユーザ入力を受信する工程と、のいずれか
を含むことを特徴とする請求項１に記載の方法。
【請求項９】
移動体端末であって、コンテンツキャプチャ用モジュールが、前記移動体端末に関連する表示装置のコンテンツの格納要求を受信し、前記移動体端末の前記コンテンツを含む画像ファイルを前記受信された要求に応じて作成し、前記コンテンツの種類と前記コンテンツのソースとの少なくともいずれかにかかわりなく、前記画像ファイルを画面コンテンツフォルダに格納するように構成されるコンテンツキャプチャ用モジュールを備えることを特徴とする移動体端末。
【請求項１０】
前記画像ファイルコンテンツの中に何らかのテキストを含む前記格納された画像ファイルに関連するテキストファイルを自動的に作成し、該作成されたテキストファイルを前記画面コンテンツフォルダに格納するように構成されるテキスト変換モジュールをさらに備えることを特徴とする請求項９に記載の移動体端末。
【請求項１１】
電子メールメッセージと、マルチメディア・メッセージング・サービス（ＭＭＳ）メッセージと、ショートメッセージサービス（ＳＭＳ）メッセージとに前記テキストファイルを添付するようにする構成と、前記テキストファイルをテキストノートプログラムへ転送するようにする構成との少なくともいずれかの構成に前記テキスト変換モジュールがさらに構成されることを特徴とする請求項１０に記載の移動体端末。
【請求項１２】
前記コンテンツキャプチャ用モジュールは、電子メールメッセージとマルチメディア・メッセージング・サービス（ＭＭＳ）メッセージとの少なくともいずれかに前記画像ファイルを添付するようにさらに構成されることを特徴とする請求項９に記載の移動体端末。
【請求項１３】
前記コンテンツキャプチャ用モジュールは、
前記画像ファイルと前記テキストファイルとの少なくともいずれかのファイルを処理して、該ファイルから情報を抽出し、
前記抽出された情報をアプリケーションプログラムへ提供して、該アプリケーションプログラムにおいて前記情報を使用するようにさらに構成される
ことを特徴とする請求項１０に記載の移動体端末。
【請求項１４】
前記コンテンツキャプチャ用モジュールは、前記画像ファイルと前記テキストファイルとの少なくともいずれかを編集するようにさらに構成されることを特徴とする請求項１０に記載の移動体端末。
【請求項１５】
前記コンテンツキャプチャ用モジュールは、
前記移動体端末に設けられた画面コンテンツ専用ボタンを介して提供されるユーザ入力を受信するか、
前記移動体端末に設けられたオーバロード・ボタンを介して提供されるユーザ入力を受信するか、又は、
前記移動体端末に設けられたメニューを介して提供されるユーザ入力を受信するようにさらに構成される
ことを特徴とする請求項９に記載の移動体端末。
【請求項１６】
移動体端末の表示装置のコンテンツを保存するためのコンピュータプログラムであって、
前記コンピュータプログラムは、前記移動体端末に、
前記移動体端末に関連する前記表示装置の前記コンテンツの格納要求を受信させ、
前記受信された要求に応じて前記移動体端末の前記コンテンツを含む画像ファイルを作成させ、
前記コンテンツの種類と前記コンテンツのソースとの少なくともいずれかにかかわりなく、画像ファイルを画面コンテンツフォルダに格納させる
ことを特徴とするコンピュータプログラム。
【請求項１７】
前記コンピュータプログラムはさらに、前記移動体端末に、
前記画像ファイルに関連するテキストファイルであって、前記画像ファイルに含まれる何らかのテキストを含む前記テキストファイルを自動的に作成させ、
前記作成されたテキストファイルを前記画面コンテンツフォルダに格納させる
ことを特徴とする請求項１６に記載のコンピュータプログラム。
【請求項１８】
前記コンピュータプログラムはさらに、前記移動体端末に、
電子メールメッセージと、マルチメディア・メッセージング・サービス（ＭＭＳ）メッセージと、ショートメッセージサービス（ＳＭＳ）メッセージとに前記テキストファイルを添付させることと、前記テキストファイルをテキストノートプログラムへ転送させることとの少なくともいずれかを行わせることを特徴とする請求項１７に記載のコンピュータプログラム。
【請求項１９】
前記コンピュータプログラムはさらに、前記移動体端末に、
電子メールメッセージとマルチメディア・メッセージング・サービス（ＭＭＳ）メッセージとの少なくともいずれかに前記画像ファイルを添付させることを特徴とする請求項１６に記載のコンピュータプログラム。
【請求項２０】
前記コンピュータプログラムはさらに、前記移動体端末に、
前記画像ファイルと前記テキストファイルとの少なくともいずれかのファイルを処理して、該ファイルから情報を抽出させ、
前記抽出された情報をアプリケーションプログラムへ提供して、該アプリケーションプログラムにおいて前記情報を使用させる
ことを特徴とする請求項１７に記載のコンピュータプログラム。
【請求項２１】
前記アプリケーションプログラムは、連絡先データベースと、カレンダと、ブラウザと、チャットクライアントとブックマーク格納ユニットとの少なくともいずれかを備えることを特徴とする請求項２０に記載のコンピュータプログラム。
【請求項２２】
前記コンピュータプログラムはさらに、前記移動体端末に、
前記画像ファイルと前記テキストファイルとの少なくともいずれかのファイルを編集させることを特徴とする請求項１７に記載のコンピュータプログラム。
【請求項２３】
前記コンピュータプログラムが前記移動体端末に前記要求を受信させる場合に、前記移動体端末に
前記移動体端末に設けられた画面コンテンツ専用ボタンを介して提供されるユーザ入力を受信させることと、
前記移動体端末に設けられたオーバロード・ボタンを介して提供されるユーザ入力を受信させることと、
前記移動体端末に設けられたメニューを介して提供されるユーザ入力かを受信させることと
のいずれかを実行させることを特徴とする請求項１６に記載のコンピュータプログラム。